(57)【要約】【課題】省エネモードから復帰して読取を行う場合、復帰時間を短縮し、画質の低下を防止すること。【解決手段】画像読取装置は、ユーザーからの操作によって動作指示が所定時間ないと省エネモードへ移行し、省エネモードからの復帰要求があり省エネモードから復帰して読取を行う場合、自動ゲイン調整を実施せず前回値を用いて画像読取を行い、スキャン中にゲイン調整値を補正する。【選択図】図４
2008306581.tif 000002
【特許請求の範囲】
【請求項１】
原稿からの反射光を受光してその光量に応じたアナログ信号を出力するイメージセンサ、前記イメージセンサから出力されるアナログ信号を増幅する増幅回路を有するアナログ処理部、前記アナログ処理部から出力されるアナログ信号をデジタル信号に変換するＡ／Ｄ変換手段、前記Ａ／Ｄ変換手段により変換されたデジタル信号に対してシェーディング補正処理等の各種デジタル補正処理を行うデジタル処理部を有する画像読取装置において、
ユーザーからの操作によって動作指示が所定時間ないと省エネモードへ移行し、省エネモードからの復帰要求があり省エネモードから復帰して読取を行う場合、自動ゲイン調整を実施せず前回値を用いて画像読取を行い、スキャン中にゲイン調整値を補正することを特徴とする画像読取装置。
【請求項２】
スキャン中のゲイン調整値の補正は、１スキャン毎に行うことを特徴とする請求項１記載の画像読取装置。
【請求項３】
スキャン中のゲイン調整値の補正は、１ジョブ毎に行うことを特徴とする請求項１記載の画像読取装置。
【請求項４】
省エネ移行時間に応じてスキャン中のゲイン調整値の補正の実施／未実施を切り替えることを特徴とする請求項１記載の画像読取装置。
【請求項５】
省エネ移行時間に応じてスキャン中のゲイン調整値の補正のレベルを切り替えることを特徴とする請求項１記載の画像読取装置。
【請求項６】
スキャン中のゲイン調整値の補正は、アナログゲインを調整することを特徴とする請求項１記載の画像読取装置。
【請求項７】
スキャン中のゲイン調整値の補正は、デジタルゲインを調整することを特徴とする請求項１記載の画像読取装置。
【請求項８】
スキャン中のゲイン調整値の補正は、アナログゲイン＋デジタルゲインの組み合わせで調整することを特徴とする請求項１記載の画像読取装置。
【請求項９】
スキャン中のゲイン調整値の補正は、信号が飽和しないようにゲイン値を小さい方から調整することを特徴とする請求項１記載の画像読取装置。
【請求項１０】
スキャン中のゲイン調整値の補正は、信号が飽和しないようにサンプリングポイントゲインを２点以上平均して調整することを特徴とする請求項１記載の画像読取装置。
【請求項１１】
電源オフ時間が短い場合には、電源オン直後の自動ゲイン調整は実施せず、前回調整値を不揮発メモリにセーブしておき、スキャン中にゲイン調整値の補正を行うことを特徴とする画像読取装置。
【請求項１２】
請求項１から１１の画像読取装置を有する画像形成装置。
【発明の詳細な説明】
【技術分野】
【０００１】
本発明は、光電変換素子としてＣＣＤ等のイメージセンサを用いたスキャナ装置等の画像読取装置に関するものである。
【背景技術】
【０００２】
デジタル複写機等の読取部は、原稿画像を光電変換素子で読み取り、光電変換素子から出力されるアナログ画像信号をデジタル信号に変換して出力する画像読取装置を備えている。このため、画像読取装置ではアナログ処理部とデジタル処理部とを備え、各種信号処理を施すようにしている。
【０００３】
一般には光電変換素子で読み取ったアナログ信号に対してゲイン調整、オフセット補正等の処理を行った後に、デジタルデータへの変換を行い、シェーディング補正処理等を経て、後段の画像処理部に出力させるようにしている。
【０００４】
上記ゲイン調整を行うため、短時間の省エネモード（スリープモード）からの復帰時に、初期化処理を行わず事前に行った初期化データを参照する技術があるが、省エネモード移行期間中に読取装置内のミラー、レンズ等に汚れが発生した場合等に画質が低下する可能性がある。
【０００５】
また、省エネモードからの復帰毎に自動ゲイン調整（以下ＡＧＣ：AutoGainControl）を行うとシステム復帰時間が大きくなり、システム復帰時間を短縮するためにＡＧＣを行わないと画質が低下するという問題点がある。
【０００６】
ここで、デジタル処理部側におけるオフセットレベル検出手段によりデジタル信号からオフセットレベルを検出し、目標レベルに対する補正値を補正値算出手段により算出した後、Ｄ／Ａ変換手段によりアナログ補正信号に変換してオフセットレベル補正手段によりアナログ処理部中の増幅回路に直接フィードバックさせてオフセットレベルを補正することで、従来のようにドループを生じ得るクランプ回路を用いる必要がなく、ドループによるオフセットレベルの変化がなく、オフセットレベルを常に一定に保つことで、クランプ回路を用いることなくオフセットレベルの補正を簡単な構成で随時適正に行なうことができる画像読取装置を提供する技術が提案されている（特許文献１）。
【特許文献１】特開２００２−０５７８９９号公報
【発明の開示】
【発明が解決しようとする課題】
【０００７】
本発明においては、省エネモードから復帰時に、ＡＧＣを行わないためシステム復帰時間を短縮することができる。またスキャン中にゲイン調整値を補正するので、画質の低下を防止することを目的とする。
【０００８】
また１スキャン毎又は１ジョブ毎にスキャン中にゲイン調整値の補正を行うことにより、読取時間の短縮と画質の最適化を図ることを目的とする。
【０００９】
省エネモード移行時間に応じて、スキャン中のゲイン調整値の補正の実施／未実施を切り替え、補正レベルを切り替えることにより、読取時間の短縮と画質の最適化を図ることを目的とする。
【００１０】
スキャン中のゲイン調整値の補正は、アナログゲインを調整することにより量子化誤差をなくすことができ、デジタルゲインを調整することによりレベルを細かく調整できることを目的とする。
【００１１】
スキャン中のゲイン調整値の補正は、ゲインを小さい方から調整し、サンプリングポイントを２点以上平均することにより、信号の飽和を防止できることを目的とする。
【００１２】
また電源オフ時間が短い場合に、電源オン直後のＡＧＣは実施せず、前回調整値を不揮発メモリにセーブしておき、スキャン中にゲイン調整値の補正を行うことにより、読取時間の短縮と画質の最適化を図ることを目的とする。
【課題を解決するための手段】
【００１３】
請求項１記載の発明は、原稿からの反射光を受光してその光量に応じたアナログ信号を出力するイメージセンサ、イメージセンサから出力されるアナログ信号を増幅する増幅回路を有するアナログ処理部、アナログ処理部から出力されるアナログ信号をデジタル信号に変換するＡ／Ｄ変換手段、Ａ／Ｄ変換手段により変換されたデジタル信号に対してシェーディング補正処理等の各種デジタル補正処理を行うデジタル処理部を有する画像読取装置において、ユーザーからの操作によって動作指示が所定時間ないと省エネモードへ移行し、省エネモードからの復帰要求があり省エネモードから復帰して読取を行う場合、自動ゲイン調整を実施せず前回値を用いて画像読取を行い、スキャン中にゲイン調整値を補正することを特徴とする画像読取装置である。
【００１４】
請求項２記載の発明は、請求項１記載の画像読取装置において、スキャン中のゲイン調整値の補正は、１スキャン毎に行うことを特徴とする。
【００１５】
請求項３記載の発明は、請求項１記載の画像読取装置において、スキャン中のゲイン調整値の補正は、１ジョブ毎に行うことを特徴とする。
【００１６】
請求項４記載の発明は、請求項１記載の画像読取装置において、省エネ移行時間に応じてスキャン中のゲイン調整値の補正の実施／未実施を切り替えることを特徴とする。
【００１７】
請求項５記載の発明は、請求項１記載の画像読取装置において、省エネ移行時間に応じてスキャン中のゲイン調整値の補正のレベルを切り替えることを特徴とする。
【００１８】
請求項６記載の発明は、請求項１記載の画像読取装置において、スキャン中のゲイン調整値の補正は、アナログゲインを調整することを特徴とする。
【００１９】
請求項７記載の発明は、請求項１記載の画像読取装置において、スキャン中のゲイン調整値の補正は、デジタルゲインを調整することを特徴とする。
【００２０】
請求項８記載の発明は、請求項１記載の画像読取装置において、スキャン中のゲイン調整値の補正は、アナログゲイン＋デジタルゲインの組み合わせで調整することを特徴とする。
【００２１】
請求項９記載の発明は、請求項１記載の画像読取装置において、スキャン中のゲイン調整値の補正は、信号が飽和しないようにゲイン値を小さい方から調整することを特徴とする。
【００２２】
請求項１０記載の発明は、請求項１記載の画像読取装置において、スキャン中のゲイン調整値の補正は、信号が飽和しないようにサンプリングポイントゲインを２点以上平均して調整することを特徴とする。
【００２３】
請求項１１記載の発明は、電源オフ時間が短い場合には、電源オン直後の自動ゲイン調整は実施せず、前回調整値を不揮発メモリにセーブしておき、スキャン中にゲイン調整値の補正を行うことを特徴とする画像読取装置である。
【００２４】
請求項１２記載の発明は、請求項１〜１１の画像読取装置を有する画像形成装置である。
【発明の効果】
【００２５】
本発明によれば、省エネモードから復帰して読取を行う場合、ＡＧＣを実施せず前回
調整値を用いて画像読取を行い、スキャン中にゲイン調整値を補正しているので、復帰時間を短縮し、画質の低下を防止することができる。
【発明を実施するための最良の形態】
【００２６】
図１は、本発明の実施形態に係るカラー画像読取装置の全体構成図である。
スキャナ本体に関しての構成の説明を行う。
【００２７】
原稿台ガラス（８）上に置かれた原稿は、第１ミラー（３）と照明ランプ（２）により照射される。
【００２８】
第１ミラー（３）と照明ランプ（２）は第１キャリッジ（３１）に搭載されており、原稿台下部を移動しながら走査を行う。原稿からの反射光は、第１ミラー（３）及び第２キャリッジ（３２）上の第２ミラー（５）、第３ミラー（４）で走査され、レンズ（１）により集束され、ＣＣＤが搭載されたＳＢＵ（１０）に照射されることにより電気信号に光電変換される。
【００２９】
第１ミラー（３）、照明ランプ（２）及び第２ミラー（５）、第３ミラー（４）をそれぞれ搭載する第１・２キャリッジは、走行体モータ（９）を駆動源として、キャリッジホーム位置から最大走査領域方向（図左右方向）に移動可能となっている。
【００３０】
次に、ＡＲＤＦ（自動両面原稿搬送装置）部に関しての構成の説明を行う。
原稿台（１１）の原稿ガイド（１２）に沿って積載された原稿は、片面原稿読み取りを選択した場合には呼び出しコロ（１４）、給紙ベルト（１６）により搬送コロ（１５）、分離コロ（１７）、第１搬送ローラによりＤＦ用原稿ガラス（６）と反射ガイド板（２０）との間の読取位置を経て、第２搬送ローラ（２１）及び排紙ローラ（２３）へ送り込まれ、原稿が排出される。ＤＦ用原稿ガラス前にはレジストセンサー（１９）が配置されており、読取部への紙の進入（先端）や後端部のタイミングを検知できる。
【００３１】
一方、両面原稿読み取りを選択した場合には、まず原稿の表面の読み取りを上記、片面原稿読み取りを選択した場合と同様に実施する。原稿の表面の読み取りに関して説明を行う。
【００３２】
呼び出しコロ（１４）給紙ベルト（１６）により搬送コロ（１５）、分離コロ（１７）、第１搬送ローラによりＤＦ用原稿ガラス（６）と反射ガイド板（２０）との間の読取位置を経て、第２搬送ローラ及び排紙ローラ（２３）へ送り込まれ、原稿を排出せずに、分岐爪（２４）が下方へ切り換えられて反転ローラ（２５）により反転テーブル（２６）上へ移送される。原稿の後端が排紙ローラ（２３）を抜けた後に分岐爪（２４）が上方へ切り換えられて一旦、反転ローラが停止する。
【００３３】
次に、原稿の裏面の読み取りに関して説明を行う。原稿の裏面の読み取りを実施するためには、一旦、停止していた反転ローラ（２５）を上記とは逆方向へ回転させることにより原稿が反転テーブル（２６）から第１搬送ローラ（１８）の方向へ搬送され、更に第１搬送ローラ（１８）を経て表面と同様にＤＦ用原稿ガラス（６）と反射ガイド板（２０）との間の読取位置を経て、第２搬送ローラ（２１）及び排紙ローラ（２３）へ送り込まれ、その後、原稿が排出される。
【００３４】
原稿は、表面、裏面の読み取り共にＤＦ用原稿ガラス（６）と反射ガイド板（２０）との間の読取位置を通過する際に、読取位置の近傍に停止されている照明ランプ（２）により照射され、その反射光は、第１ミラー（３）及び一体に構成された第２ミラー（５）、第３ミラー（４）で走査される。
【００３５】
以下原稿台の場合と同様に光電変換される。ＡＲＤＦの呼び出しコロ（１４）、給紙ベルト（１６）、搬送コロ（１５）、分離コロ（１７）の給紙機  構は給紙モータ（図示せず）により駆動されている。
【００３６】
又、第１搬送ローラ（１８）、第２搬送ローラ（２１）、排紙ローラ（２３）、反転ローラ（２５）の搬送機構は搬送モータ（図示せず）により駆動されている。
【００３７】
更に、ＡＲＤＦには原稿を検知するために原稿台（１１）へ原稿がセットされているか否かを検知するセットセンサ（１３）、原稿サイズを検知するための幅サイズ検知基板（２８）、原稿長さセンサ１（２９）と原稿長さセンサ２（３０）、原稿の後端を検知するための原稿後端センサ（２７）が搭載されている。スキャナ本体にはスキャナ本体及びＡＲＤＦを含めたカラー画像読取装置の動作制御を行うＳＣＵ（７）が搭載されている。
【００３８】
図２、図３は、本発明の実施形態に係る画像読取装置の全体ブロック図である。
図２と図３で制御ブロック構成を説明する。
【００３９】
ＳＢＵ（１０）上のＣＣＤ（１００）に入光した原稿の反射光は、ＣＣＤ内で光の強度に応じた電圧値を持つアナログ信号に変換され、奇数ビットと偶数ビットに分かれて出力される。
【００４０】
上記ＳＢＵ（１０）のアナログ画像信号は、ＶＩＯＢ（３３）上でアナログ処理回路（１０１）で暗電位部分が取り除かれ、奇数ビットと偶数ビットが合成され、所定の振幅にゲイン調整された後にＡ／Ｄコンバータ（１０２）に入力されデジタル信号化される。
【００４１】
デジタル化された画像信号は、シェーディング部（１０３）によりシェーディング補正されＶＩＯＢからＳＣＵ上のＩＰＵ（１０４）で、ガンマ補正、ＭＴＦ補正等の画像処理が行なわれた後、同期信号画像クロックとともにビデオ信号として、画像データ記憶手段（ＳＤＲＡＭ１０６）を管理するメモリ−コントローラ（１０５）に入力され、ＳＤＲＡＭで構成される画像メモリに蓄えられる。
【００４２】
画像メモリに蓄えられた画像データは、外部Ｉ／Ｆドライバ（１０７）に送られ、パソコンやプリンタ等の出力装置へ転送される。（実施例の外部Ｉ／ＦドライバーはＳＣＳＩ，ＩＥＥＥ１３９４、ＬＡＮなどドライバーやローカルＶｉｄｅｏ信号などを総称して記載している）ＳＣＵ（７）上には、ＣＰＵ（１０８）、ＲＯＭ（１０９）、ＲＡＭ（１１０）、モータコントローラ（１１２）が実装されており、ＣＰＵは、スキャナ本体のステッピングモータである走行体モーター（９）ＡＲＤＦの給紙モーター（図示せず）、搬送モーター（図示せず）のタイミング制御も行なっている。
【００４３】
ＡＤＵ（４２）は、ＡＲＤＦ部に用いる電装部品の電力供給を中継する機能を有している。ＳＣＵ（７）上のＣＰＵに接続されている入力ポートは、ＶＩＯＢ（３１）を介して本体操作パネル：ＳＯＰ（４３）に接続されている。本体操作パネル：ＳＯＰ（４３）上にはスタートスイッチ（図示せず）と停止スイッチ（図示せず）が実装されている。それぞれのスイッチが押下されると入力ポートを介してＣＰＵはスイッチがＯＮされたことを検出する。
【００４４】
信号処理基板ＶＩＯＢ（３３）上に搭載された信号処理回路の概略ブロック図を図４に示す。
【００４５】
図４に示すように、ＣＣＤ（１００）から偶数（ＥＶＥＮ）及び奇数（ＯＤＤ）画素の２系統のアナログ信号が出力され、アナログ処理部（１３１）に出力される。前記アナログ処理部（１３１）は増幅回路としてアンプ（１３２）（１３３）を有しており、アナログ信号をゲイン分増幅して出力する。
【００４６】
上記アナログ処理部（１３１）の出力側にはＡ／Ｄ変換手段としてのＡ／Ｄコンバータ（１３７）、（１３８）を有するデジタル処理部（１３６）が設けられている。前記デジタル処理部（１３６）の中にはＡ／Ｄコンバータ（１３７）（１３８）により各々変換されたデジタル信号が入力される信号補正部（１３９）が設けられている。前記信号補正部（１３９）はシェーディング補正処理、その他の各種デジタル補正処理を行うものであり、補正処理後のデジタル画像データを後段の画像処理部ＩＰＵ（１０４）に出力する。
【００４７】
請求項１のフローチャートを図５に示す。
まず、ユーザーからの操作による動作指示があるかを判断し（Ｓ１０）、所定時間Ｔまでユーザーから操作指示がない場合（Ｓ１２）、省エネモードへ移行する（Ｓ１２）。省エネモード移行中は復帰要求の有り無しを監視し（Ｓ１３）、復帰要求があれば省エネモードから復帰し（Ｓ１４）、待機モードになる（Ｓ１５）。
【００４８】
ユーザーからコピーモード、スキャナモード等の読取動作の指示があれば（Ｓ１６）、ＡＧＣは行わず前回値を用いて読取動作を行い（Ｓ１７）スキャン中にＡＧＣを行いゲイン調整値を補正する（Ｓ１８）。
【００４９】
所定枚数の読み取り後、終了する（Ｓ１９）。
【００５０】
ＡＧＣ（Ｓ１８）は、光電変換素子（ＣＣＤ、１００）の出力信号の最大レベル（白レベル）のばらつきを吸収する目的で行い、最大レベルのデータがほぼ同じレベルになるようにプログラマブルにゲインを設定する。ゲイン調整値の補正方法の一例を以下に示す。ＣＰＵ（１０８）は読取動作の動作プログラムに従って、スキャン中の紙間のタイミングで第１キャリッジ（３１）を原稿ガラス（８）とＤＦ用原稿ガラス（６）に挟まれた部分に配置される基準白板の位置に移動させる。そして基準白板のピークデータＤｗｐを読み取る。次にピークデータＤｗｐが所定範囲Ｄｐ±Ｂに入っているかをチェックする。Ｄｐは調整目標値でアナログ画像信号のピーク値がＡ／ＤＣ（１３７，１３８）の上側基準電圧Ｖｒｅｆｗを超えない値（マージンを考慮して例えば上側基準電圧Ｖｒｅｆｗの約８０％）である。これはＡ／ＤＣの性能を十分引き出して精度の高いデジタル信号を取り出すためである。また、Ｂは調整公差である。
【００５１】
ピークデータＤｗｐが所定範囲Ｄｐ±Ｂに入っている場合は、この時の設定データをＮＶＲＡＭ（１１１）に保存する。ピークデータＤｗｐが所定範囲Ｄｐ±Ｂに入っていない場合には、アナログゲイン調整（１３３）の制御電圧Ｖｇを制御して所定範囲になるように設定する。設定後に再度ピークデータＤｗｐを読み取り、所定範囲Ｄｐ±Ｂに入っているかをチェックする。ピークデータＤｗｐが所定範囲Ｄｐ±Ｂに入るようにこれらの動作を繰り返し行う。
【００５２】
請求項２のフローチャートを図６に示す。
【００５３】
まず、ユーザーからコピーモード、スキャナモード等の読取動作指示の有無を監視し（Ｓ２０）、読取動作の指示があれば、前回値を用いて読取動作を行い（Ｓ２１）、１スキャン毎にスキャン中にＡＧＣを行いゲイン調整値を補正する（Ｓ２２）。読取枚数をカウントし（Ｓ２３）、所定枚数Ｘ枚の読み取りを行い終了する（Ｓ２４）。
【００５４】
請求項３のフローチャートを図７に示す。
【００５５】
ユーザーからコピーモード、スキャナモード等の読取動作指示の有無を監視し（Ｓ３０）、読取動作の指示があれば、前回値を用いて読取動作を行い（Ｓ３１）、１枚目のスキャン中にＡＧＣを行いゲイン調整値を補正する（Ｓ３２）。読取枚数をカウントし（Ｓ３３）、１ジョブの所定枚数になっていないかを判断し（Ｓ３４）、１ジョブの所定枚数まで読取動作を行う（Ｓ３６）。所定の回数のジョブが完了したかを判断し、所定ジョブ回数に達したら読取を終了する（Ｓ３５）。
【００５６】
請求項４のフローチャートを図８に示す。
【００５７】
省エネモード移行中かを判断し（Ｓ４０）、省エネモード移行中であれば復帰要求の有り無しを判断し（Ｓ４１）、復帰要求があれば移行時間を判断し（Ｓ４２）、移行時間が所定時間Ｔ１より小さければ読取動作を行い（Ｓ４３）、スキャン中のＡＧＣは行わずに所定枚数の読取を行う（Ｓ４４）。一方、移行時間が所定時間Ｔ１より大きければ読取動作を行い（Ｓ４５）、スキャン中にＡＧＣを行う（Ｓ４６）。その後、所定枚数まで読取動作を行い（Ｓ４７）、所定枚数に達すると終了する（Ｓ４８）。
【００５８】
請求項５のフローチャートを図９に示す。
【００５９】
省エネモード移行中かを判断し（Ｓ５００）、省エネモード移行中であれば復帰要求の有り無しを判断し（Ｓ５０１）、復帰要求があれば移行時間を判断し（Ｓ５０２）、移行時間が所定時間Ｔ２より小さければ読取動作を行い（Ｓ５０３）、スキャン中に例えばデジタルゲインを調整してゲイン調整値の補正ＡＧＣ２を行い（Ｓ５０４）、所定の読取動作を行う（Ｓ５０５，Ｓ５０６）。一方、移行時間が所定時間Ｔ２より大きければ読取動作を行い（Ｓ５０７）、スキャン中に例えばアナログゲイン＋デジタルゲインを調整してゲイン調整値の補正ＡＧＣ３を行い（Ｓ５０８）、所定の読取動作を行う（Ｓ５０９，Ｓ５１０）。
【００６０】
請求項６のフローチャートを図１０に示す。
【００６１】
ユーザーからコピーモード、スキャナモード等の読取動作指示の有無を監視し（Ｓ６０）、読取動作の指示があれば、前回値を用いて読取動作を行い（Ｓ６１）、１枚目のスキャン中にアナログゲインを調整してゲイン調整値を補正ＡＧＣ１する（Ｓ６２）。読取枚数をカウントし（Ｓ６３）、所定枚数になっていないかを判断し（Ｓ６４）、所定枚数まで読取動作を行う（Ｓ６５）。
【００６２】
ＡＧＣ１（Ｓ６２）は、スキャン中の紙間のタイミングで第１キャリッジ（３１）を基準白板の位置に移動させ、基準白板のピークデータＤｗｐを読み取り、ピークデータＤｗｐが所定範囲Ｄｐ±Ｂに入っていればデータをＮＶＲＡＭ（１１１）に保存し、入っていなければアナログゲイン調整（１３３）の制御電圧Ｖｇを制御して所定範囲になるように設定する。
【００６３】
請求項７のフローチャートを図１１に示す。
【００６４】
ユーザーからコピーモード、スキャナモード等の読取動作指示の有無を監視し（Ｓ７０）、読取動作の指示があれば、前回値を用いて読取動作を行い（Ｓ７１）、１枚目のスキャン中にデジタルゲインを調整してゲイン調整値を補正ＡＧＣ２する（Ｓ７２）。読取枚数をカウントし（Ｓ７３）、所定枚数になっていないかを判断し（Ｓ７４）、所定枚数まで読取動作を行う（Ｓ７５）。
【００６５】
ＡＧＣ２（Ｓ７２）は、スキャン中の紙間のタイミングで第１キャリッジ（３１）を基準白板の位置に移動させ、基準白板のピークデータＤｗｐを読み取り、ピークデータＤｗｐが所定範囲Ｄｐｄ±Ｂｄに入っていればデータをＮＶＲＡＭ（１１１）に保存し、入っていなければピークデータＤｗｐｄが所定範囲Ｄｐｄ±Ｂｄに入るように信号補正部（１３９）にてプログラマブルにデジタルゲインを設定する。
【００６６】
請求項８のフローチャートを図１２に示す。
【００６７】
ユーザーからコピーモード、スキャナモード等の読取動作指示の有無を監視し（Ｓ８０）、読取動作の指示があれば、前回値を用いて読取動作を行い（Ｓ８１）、１枚目のスキャン中にアナログゲイン＋デジタルゲインを調整してゲイン調整値を補正ＡＧＣ３する（Ｓ８２）。読取枚数をカウントし（Ｓ８３）、所定枚数になっていないかを判断し（Ｓ８４）、所定枚数まで読取動作を行う（Ｓ８５）。
【００６８】
ＡＧＣ３（Ｓ８２）は、スキャン中の紙間のタイミングで第１キャリッジ（３１）を基準白板の位置に移動させ、基準白板のピークデータＤｗｐを読み取り、ピークデータＤｗｐが所定範囲Ｄｐ±Ｂに入るようにアナログゲイン調整を行い、その後ピークデータＤｗｐが所定範囲Ｄｐｄ±Ｂｄに入るようにデジタルゲイン調整を行う。
【００６９】
請求項９のフローチャートを図１３に示す。
【００７０】
ユーザーからコピーモード、スキャナモード等の読取動作指示の有無を監視し（Ｓ９０）、読取動作の指示があれば、前回値を用いて読取動作を行い（Ｓ９１）、１枚目のスキャン後にゲイン調整値をリセットして（Ｓ９２）、ゲイン調整値を最小値にセットし（Ｓ９３）、ＡＧＣを行う（Ｓ９４）。調整値が目標値に等しいかを判断し（Ｓ９５）、等しくなければゲイン調整値を大きくしてＡＧＣを再度行い、目標値に等しくなるまで調整を繰り返す（Ｓ９３〜９５）。調整値が目標値に等しくなれば、読取枚数をカウントし（Ｓ９６）、読取動作を行い（Ｓ９７）、所定枚数になっていないかを判断し（Ｓ９８）、所定枚数まで読取動作を行う。
【００７１】
ゲイン調整値の補正方法の一例を以下に示す。ＣＰＵ（１０８）は読取動作の動作プログラムに従って、スキャン中の紙間のタイミングで第１キャリッジ（３１）を基準白板の位置に移動させる。そしてアナログゲイン調整（１３３）をリセットしてゲイン調整値を最小値にセットし、基準白板のピークデータＤｗｐｏを読み取る。次にピークデータＤｗｐｏが所定範囲Ｄｐ±Ｂに入っているかをチェックする。
【００７２】
ピークデータＤｗｐｏが所定範囲Ｄｐ±Ｂに入っていない場合は、アナログゲイン調整（１３３）の制御電圧Ｖｇを大きくして所定範囲になるように設定する。設定後に再度ピークデータＤｗｐを読み取り、所定範囲Ｄｐ±Ｂに入っているかをチェックする。ピークデータＤｗｐが所定範囲Ｄｐ±Ｂに入るようにこれらの動作を繰り返し行う請求項１０のフローチャートを第１４図に示す。
【００７３】
ユーザーからコピーモード、スキャナモード等の読取動作指示の有無を監視し（Ｓ１００）、読取動作の指示があれば、前回値を用いて読取動作を行い（Ｓ１０１）、１枚目のスキャン後に２点以上のサンプリング値を平均して（Ｓ１０２）、ＡＧＣを行う（Ｓ１０３）。調整値が目標値に等しいかを判断し（Ｓ１０４）、等しくなければ再度２点以上のサンプリング値を平均してＡＧＣを行い、目標値に等しくなるまで調整を繰り返す（Ｓ１０２〜１０４）。調整値が目標値に等しくなれば、読取枚数をカウントし（Ｓ１０５）、読取動作を行い（Ｓ１０６）、所定枚数になっていないかを判断し（Ｓ１０７）、所定枚数まで読取動作を行う。
【００７４】
２点以上のサンプリング値を平均してＡＧＣを行う理由は、キセノンランプを光源として用いた場合、水銀蛍光灯、ハロゲンランプ等の光源に比べて安定度は高く、短時間で安定する傾向があるものの点灯直後から安定するまでの光量変動（時間−光量の傾き）が大きいため、点灯直後にＡＧＣを行うとアナログ画像信号のピーク値がＡ／ＤＣの入力範囲上限に近づく可能性があった、そこで２点以上のサンプリング値を平均してＡＧＣを行うことにより、アナログ画像信号のピーク値がＡ／ＤＣの入力範囲の飽和領域に近づくことを防止する。
【００７５】
以下に各請求項ごとの効果を述べる。
請求項２の発明においては、１スキャン毎にゲイン調整値を補正しているので、画質の低下を防止することが出来る。
【００７６】
請求項３の発明においては、１ジョブ毎にゲイン調整値を補正しているので、読取時間を短縮することが出来る。
【００７７】
請求項４の発明においては、省エネ移行時間に応じてスキャン中のゲイン調整値の補正の実施／未実施を切り替えているので、復帰時間を短縮することが出来る。
【００７８】
請求項５の発明においては、省エネ移行時間に応じてスキャン中のゲイン調整値の補正のレベルを切り替えているので、復帰時間を短縮でき画質の低下も防止することが出来る。
【００７９】
請求項６の発明においては、スキャン中のゲイン調整値の補正は、アナログゲインを調整しているので、量子化誤差をなくすことが出来る。
【００８０】
請求項７の発明においては、スキャン中のゲイン調整値の補正は、デジタルゲインを調整しているので、信号レベルを細かく調整できる。
【００８１】
請求項８の発明においては、スキャン中のゲイン調整値の補正は、アナログゲイン＋デジタルゲインの組み合わせで調整しているので、量子化誤差を小さくし、信号レベルを細かく調整できる。
【００８２】
請求項９の発明においては、スキャン中のゲイン調整値の補正は、ゲイン値を小さい方から調整しているので、信号の飽和を防止できる。
【００８３】
請求項１０の発明においては、スキャン中のゲイン調整値の補正は、サンプリングポイントゲインを２点以上平均して調整しているので、信号の飽和を防止できる。
【００８４】
請求項１１の発明においては、電源オフ時間が短い場合には、電源オン直後のＡＧＣは実施せず、前回調整値を不揮発メモリにセーブしておき、スキャン中にゲイン調整値を補正しているので、読取時間の短縮と画質の最適化を図ることが出来る。
【００８５】
請求項１２の発明においては、事業形態として画像読取装置を備えた画像形成装置が考えられる為、クレームとして記載する。
【００８６】
なお、上述する各実施の形態は、本発明の好適な実施の形態であり、本発明の要旨を逸脱しない範囲内において種々変更実施が可能である。
【図面の簡単な説明】
【００８７】
【図１】本発明の実施形態に係るカラー画像読取装置の全体構成図である。
【図２】本発明の実施形態に係る画像読取装置の全体ブロック図である。
【図３】本発明の実施形態に係る画像読取装置の全体ブロック図である。
【図４】信号処理回路の概略ブロック図である。
【図５】請求項１のフローチャートである。
【図６】請求項２のフローチャートである。
【図７】請求項３のフローチャートである。
【図８】請求項４のフローチャートである。
【図９】請求項５のフローチャートである。
【図１０】請求項６のフローチャートである。
【図１１】請求項７のフローチャートである。
【図１２】請求項８のフローチャートである。
【図１３】請求項９のフローチャートである。
【図１４】請求項１０のフローチャートである。
【符号の説明】
【００８８】
１００    ＣＣＤ
１３１    アナログ処理部
１３２、１３３    アンプ
１３６    デジタル処理部
１３７，１３８    Ａ／Ｄコンバータ
【図１】
2008306581.tif 000003
【図２】
2008306581.tif 000004
【図３】
2008306581.tif 000005
【図４】
2008306581.tif 000006
【図５】
2008306581.tif 000007
【図６】
2008306581.tif 000008
【図７】
2008306581.tif 000009
【図８】
2008306581.tif 000010
【図９】
2008306581.tif 000011
【図１０】
2008306581.tif 000012
【図１１】
2008306581.tif 000013
【図１２】
2008306581.tif 000014
【図１３】
2008306581.tif 000015
【図１４】
2008306581.tif 000016